(57)【要約】【課題】端子解除治具で端子を損傷することなく、容易に端子をハウジングから取り外すことができるコネクタを提供する。【解決手段】端子収容室２４と、端子収容室２４に突出し、弾性変形によって端子収容室２４より退出するランス２５とを有するハウジング２と、端子収容室２４に挿入され、先端側に相手端子と接触する端子接触部とランス２５が係止する係止部３３とを有する端子３と、ハウジング２の前部に装着され、端子３の接触部を保持する本係止位置と仮係止位置の間で移動するフロントホルダとを備え、ハウジング２には、ランス２５の弾性変形方向に対しほぼ直交方向よりランス２５と係止部３３の係止箇所を露出する開口部２７が設けられた。【選択図】図７
2015002046.tif 000002
【特許請求の範囲】
【請求項１】
端子収容室と、前記端子収容室に突出し、弾性変形によって前記端子収容室より退出するランスとを有するハウジングと、前記端子収容室に挿入され、先端側に相手端子と接触する端子接触部と前記ランスが係止する係止部とを有する端子と、
前記ハウジングの前部に装着され、前記端子接触部を保持する本係止位置と仮係止位置の間で移動するフロントホルダとを備え、
前記端子の前記端子収容室への挿入過程で前記ランスを前記端子収容室から退出する方向に弾性変形にして前記端子の挿入を許容し、
前記端子の挿入完了位置では前記ランスが弾性復帰変形して前記係止部に係止するコネクタであって、
前記ハウジングには、前記ランスの弾性変形方向に対しほぼ直交方向より前記ランスと前記係止部の係止箇所を露出する開口部が設けられたことを特徴とするコネクタ。
【請求項２】
請求項１記載のコネクタであって、
前記開口部は、前記フロントホルダの仮係止位置で開口し、前記フロントホルダの本係止位置では閉塞される位置に配置されたことを特徴とするコネクタ。
【請求項３】
請求項１又は請求項２記載のコネクタであって、
前記ハウジングは、２つの並設された前記端子収容室の間に、各端子収容室用の２つのランスの弾性変形に使用されるランス変形許容スペースを有し、
２つの並設された前記端子収容室には、互いに対向配置した向きで前記端子が収容され、且つ、前記端子の係止部は幅方向にシフトし、互いに弾性変形状態で干渉しない位置に設定されていることを特徴とするコネクタ。
【請求項４】
請求項１〜請求項３のいずれか１項に記載のコネクタであって、
前記ランスは、前記端子の挿入方向に延設され、前記開口部は、前記ランスに対しほぼ直交方向より前記ランスと前記係止部の係止箇所を露出することを特徴とするコネクタ。
【発明の詳細な説明】
【技術分野】
【０００１】
本発明は、端子を係止するランスをハウジングに備えたコネクタに関する。
【背景技術】
【０００２】
端子を係止するランスをハウジングに備えたコネクタが従来より種々提案されている。かかるコネクタの一従来例が図１２に示されている（特許文献１参照）。図１２において、コネクタ１００は、端子収容室１０１と、端子収容室１０１に突出し、弾性変形によって端子収容室１０１より退出するランス１０２とを有するハウジング１０３と、端子収容室１０１に挿入され、先端側に相手端子（図示せず）と接触する端子接触部１０４とランス１０２が係止する係止部１０５とを有する端子１０６と、ハウジング１０３の前部に装着され、端子接触部１０４を保持するフロントリテーナ０７とを備えている。ハウジング１０３には、ランス１０２が係止部１０５に係止する状態を解除する端子解除治具１０８を差し込む治具差し込み孔１０９が形成されている。
【０００３】
上記構成において、ハウジング１０３の治具差し込み孔１０９から端子解除治具１０８をハウジング１０３内に挿入する。挿入した端子解除治具１０８でランス１０２を弾性変形させて、ランス１０２が端子１０６の係止部１０５に係止する状態を解除する。この状態で端子１０６を後方（図１２の左方向）へ引き抜くことができる。
【先行技術文献】
【特許文献】
【０００４】
【特許文献１】特開２０１２−３８５４９号公報
【発明の概要】
【発明が解決しようとする課題】
【０００５】
ところで、前述した従来技術のコネクタ１００にあっては、ハウジング１０３のランス１０２と端子１０６の係止部１０５との係止箇所が見えにくいため、端子１０６を所定の解除位置にセットできないという問題がある。また、端子解除治具１０８を端子１０６に押圧する状態でランス１０２を弾性変形させるため、端子解除治具１０８で端子１０６を損傷させる恐れがある。
【０００６】
そこで、本発明は、前記した課題を解決すべくなされたものであり、端子解除治具で端子を損傷することなく、容易に端子をハウジングから取り外すことができるコネクタを提供することを目的とする。
【課題を解決するための手段】
【０００７】
本発明は、端子収容室と、前記端子収容室に突出し、弾性変形によって前記端子収容室より退出するランスとを有するハウジングと、前記端子収容室に挿入され、先端側に相手端子と接触する端子接触部と前記ランスが係止する係止部とを有する端子と、前記ハウジングの前部に装着され、前記端子接触部を保持する本係止位置と仮係止位置の間で移動するフロントホルダとを備え、前記端子の前記端子収容室への挿入過程で前記ランスを前記端子収容室から退出する方向に弾性変形にして前記端子の挿入を許容し、前記端子の挿入完了位置では前記ランスが弾性復帰変形して前記係止部に係止するコネクタであって、前記ハウジングには、前記ランスの弾性変形方向に対しほぼ直交方向より前記ランスと前記係止部の係止箇所を露出する開口部が設けられたことを特徴とするコネクタである。
【０００８】
前記開口部は、前記フロントホルダの仮係止位置で開口し、前記フロントホルダの本係止位置では閉塞される位置に配置されたものを含む。前記ハウジングは、２つの並設された前記端子収容室の間に、各端子収容室用の２つのランスの弾性変形に使用されるランス変形許容スペースを有し、２つの並設された前記端子収容室には、互いに対向配置した向きで前記端子が収容され、且つ、前記端子の係止部は幅方向にシフトし、互いに弾性変形状態で干渉しない位置に設定されているものを含む。前記ランスは、前記端子の挿入方向に延設され、前記開口部は、前記ランスに対しほぼ直交方向より前記ランスと前記係止部の係止箇所を露出するものを含む。
【発明の効果】
【０００９】
本発明によれば、ハウジングに形成される開口部よりランスと係止部の係止箇所を目視できるため、容易に、且つ、正確に端子解除治具をランスと係止部の間に挿入でき、しかも、端子解除治具をランスの弾性変形方向のほぼ直交方向より挿入し、ランスの係止解除位置への弾性変形を目視できる。以上より、端子解除治具で端子を損傷することなく、容易に端子をハウジングから取り外すことができる。
【図面の簡単な説明】
【００１０】
【図１】本発明の一実施形態を示し、コネクタの分解斜視図である。
【図２】本発明の一実施形態を示し、端子挿入完了後のコネクタの斜視図である。
【図３】本発明の一実施形態を示し、（ａ）はハウジングの側面図、（ｂ）は（ａ）のＡ部の拡大側面図である。
【図４】本発明の一実施形態を示し、端子挿入完了後のコネクタの側面図である。
【図５】本発明の一実施形態を示し、図４のＢ部の拡大側面図である。
【図６】本発明の一実施形態を示し、端子解除治具の挿入時のコネクタの側面図である。
【図７】本発明の一実施形態を示し、図６のＣ−Ｃ線に沿う断面図である。
【図８】本発明の一実施形態を示し、２つのランスのシフト配置を示すハウジングの一部破断した要部斜視図である。
【図９】本発明の一実施形態を示し、端子の要部斜視図である。
【図１０】本発明の一実施形態を示し、一方の端子が挿入完了位置で、他方の端子が中途挿入位置であるコネクタの側面図である。
【図１１】本発明の一実施形態を示し、図１０のＤ部の拡大側面図である
【図１２】一従来例を示し、コネクタの断面図である。
【発明を実施するための形態】
【００１１】
以下、本発明の一実施形態を図面に基づいて説明する。
【００１２】
図１〜図１１は本発明の一実施形態を示す。コネクタ１は、防水機能を備えた防水コネクタであり、ハウジング２と、このハウジング２に挿入される２つの端子（圧着オス端子）３とを備えている。ハウジング２の前側筒部２１にはフロントホルダ４が装着され、ハウジング２の後部にはワイヤスペーサ５及びリアホルダ６が装着されている。
【００１３】
ハウジング２の前側筒部２１はフロントホルダ４に挿入されている。このフロントホルダ４は、端子接触部３２を保持する本係止位置と仮係止位置の間で移動可能に設けられており、フロントホルダ４が本係止位置にある場合には、フロントホルダ４により前側筒部２１が覆われ、フロントホルダ４が仮係止位置にある場合には、前側筒部２１が露出する。この前側筒部２１の根本には、ハウジング２とフロントホルダ４間の防水、及び相手ハウジング（図示せず）との間の防水を行うＯリング４１が装着されている。ハウジング２の前部下方に突出する突出部２２には、カラー２３が設けられている。
【００１４】
各端子３は、図１及び図９に詳しく示すように、ハウジング２の端子収容室２４に挿入される箱部３１と、この箱部３１より前方に突出し、相手端子（図示せず）と接触する端子接触部３２とをそれぞれ有する。箱部３１には、ハウジング２の各ランス２５が係止する係止部３３が形成されている。図７に示すように、各係止部３３は、箱部３１の幅方向Ｗにシフトし、互いに弾性変形状態で干渉しない位置にそれぞれ配置されている。これに伴い、下記するように２つのランス２５も幅方向Ｗにシフトした位置に設定されている。
【００１５】
ハウジング２は、２つの並設された端子収容室２４と、この端子収容室２４に突出し、弾性変形によって端子収容室２４より退出する２つのランス２５と、２つの並設された端子収容室２４の間に配置され、各端子収容室２４用の２つのランス２５の弾性変形に使用されるランス変形許容スペース２６とを有する。２つのランス２５は、図８に示すように、２つの端子収容室２４を仕切る仕切壁２８に一端が固定され、先端側が分岐されることによって形成されている。２つのランス２５は、幅方向Ｗの互いに異なる端部箇所が切り欠かれている（切り欠き箇所は、図８にて明確化のため仮想線にて示す）。これにより、２つのランス２５は、互いの弾性変形状態で干渉しない位置に配置されている。
【００１６】
つまり、２つの並設された前記端子収容室２４には、図７に示すように、互いに対向配置した向きで端子３が収容され、且つ、端子３の係止部３３は箱部３１の幅方向Ｗにシフトした位置に設定されている。又、２つのランス２５も、互いの弾性変形状態で干渉しない位置に設定されている。
【００１７】
ハウジング２の前側筒部２１には、ランス２５の弾性変形方向に対しほぼ直交方向より（ランス２５の弾性変形に沿う面側より）ランス２５と係止部３３の係止箇所を露出する開口部２７が設けられている。この開口部２７は、図２などに示すように、フロントホルダ４の仮係止位置で開口し、図１などに示すように、フロントホルダ４の本係止位置では閉塞される位置に配置されている。なお、開口部２７は、端子３の挿入方向に延設されるランス２５に対しほぼ直交方向よりランス２５と係止部３３の係止箇所を露出する。
【００１８】
ハウジング２の後部に装着されるワイヤスペーサ５は、リアホルダ６により保持され、これらのワイヤスペーサ５及びリアホルダ６には、端子３に接続される電線３４が挿通されている。リアホルダ６には、ハウジング２とリアホルダ６間の防水、及び電線３４とリアホルダ６間の防水を行うＯリング６１が設けられている。
【００１９】
上記構成において、図１に示すように、フロントホルダ４を本係止位置にセットして、端子３をハウジング２の後端から端子収容室２４へ挿入すると、端子３でランス２５が押圧される。これにより、ランス２５が端子収容室２４から退出する方向に弾性変形して端子３の挿入が許容される。この端子３の挿入過程の途中では、図１０及び図１１に示すように、完全挿入された一方の端子３のランス２５が弾性復帰変形して係止部３３に係止し、中途挿入された他方の端子３のランス２５が端子収容室２４から退出する方向に弾性変形している。次いで、他方の端子３をさらに挿入すると、図４及び図５に示すように、端子３の挿入完了位置に到達するので、両方のランス２５が弾性復帰変形して係止部３３に係止する。
【００２０】
上記のようにして両方の端子３を完全挿入した状態で、フロントホルダ４を仮係止位置に変位すると、ハウジング２の前側筒部２１の開口部２７より、ランス２５の弾性変形方向に対しほぼ直交方向よりランス２５と係止部３３の係止箇所が露出される。
【００２１】
次に、完全挿入した端子３をハウジング２から取り外す場合、図６及び図７に示すように、フロントホルダ４を仮係止位置にセットし、ハウジング２の開口部２７より端子解除治具７をランス２５と係止部３３の係止箇所に挿入する。次いで、端子解除治具７でランス２５を端子収容室２４から退出する方向に弾性変形にしてランス２５の係合状態を解除し、端子３をハウジング２より後方に引き抜く。このとき、端子３の端子接触部３２はフロントホルダ４により保護されているので、外力による端子接触部３２の損傷を防止できる。
【００２２】
以上説明したように、ハウジング２の開口部２７より端子３のランス２５と係止部３３の係止箇所を目視できるため、容易に、且つ、正確に端子解除治具７をランス２５と係止部３３の間に挿入でき、しかも、端子解除治具７をランス２５の弾性変形方向のほぼ直交方向より挿入し、ランス２５の係止解除位置への弾性変形を目視できる。以上より、端子解除治具７で端子３を損傷することなく容易に端子３をハウジング２から取り外すことができる。
【００２３】
フロントホルダ４の本係止位置ではハウジング２の開口部２７が閉塞されるため、開口部２７より水等の異物がハウジング２内に侵入するのを防止できる。
【００２４】
２つの並殺された端子収容室２４に突出する２つのランス２５は、箱部３１の幅方向Ｗにシフトし、互いに弾性変形状態で干渉しない位置に設定されるため、ランス変形許容スペース２６の幅が仮に１つのランス２５が弾性変形する幅しかなくても２つのランス２５が端子収容室２４から退出する方向に同時に弾性変形しても互いに干渉しなしで弾性変形できる。以上より、ハウジング２の幅寸法を大きくすることなく端子３の解除が可能である。
【００２５】
端子解除治具７をハウジング２の開口部２７よりランス２５に対しほぼ直交方向よりランス２５と係止部３３の係止箇所に挿入し、端子解除治具７を端子３のうち前記係止部３３のみに係合させるが、端子３の他の部分には係合させる必要がないので、端子３の損傷を抑制することができる。
【符号の説明】
【００２６】
１  コネクタ（防水コネクタ）
２  ハウジング
３  端子
４  フロントホルダ
７  端子解除治具
２４  端子収容室
２５  ランス
２６  ランス変形許容スペース
２７  開口部
３２  端子接触部
３３  係止部
【図１】
2015002046.tif 000003
【図２】
2015002046.tif 000004
【図３】
2015002046.tif 000005
【図４】
2015002046.tif 000006
【図５】
2015002046.tif 000007
【図６】
2015002046.tif 000008
【図７】
2015002046.tif 000009
【図８】
2015002046.tif 000010
【図９】
2015002046.tif 000011
【図１０】
2015002046.tif 000012
【図１１】
2015002046.tif 000013
【図１２】
2015002046.tif 000014